(57)【特許請求の範囲】
【請求項１】
凹状で金属製の遊技球搬送樋の底面中央に、搬送樋の長手方向に伸びる凹溝部を形成するとともに、搬送樋の底面に敷設される消音用緩衝部材の平板の裏側に前記凹溝部に対応する突条部を設けて、凹溝部に突条部を嵌合させて緩衝部材を搬送樋内に敷設したことを特徴とする遊技球搬送樋装置。
【請求項２】
突条部を、先端の拡幅部と付け根のくびれ部とを有する断面形状のものとし、凹溝部を、幅広の底部と狭幅の開口部とを有する断面形状のものとしたことを特徴とする請求項１に記載の遊技球搬送樋装置。
【請求項３】
緩衝部材を、搬送樋の底面に敷設される平板と、搬送樋の両側の側壁に当接される起立壁とを有する凹状に形成するとともに、前記側壁の上部には起立壁を挿入可能な係止溝を設けたことを特徴とする請求項１又は２に記載の遊技球搬送樋装置。
【請求項４】
係止溝を形成する垂設片の溝側内部に、起立壁を固定するための凹凸を有する係止部を設けたことを特徴とする請求項３に記載の遊技球搬送樋装置。
【請求項５】
両側の起立壁の下端に、緩衝部材の平板より下方に延出する突片を設け、搬送樋の底面の両側には、前記突片が挿入される側溝を設けたことを特徴とする請求項３又は４に記載の遊技球搬送樋装置。
【請求項６】
搬送樋の係止溝の上側に、所要の長さの搬送樋を接続するための連結具が取り付けられる連結溝を形成したことを特徴とする請求項３〜５の何れかに記載の遊技球搬送樋装置。
【請求項７】
緩衝部材は、合成樹脂を押し出し成形した軟性を有するものであることを特徴とする請求項１〜６の何れかに記載の遊技球搬送樋装置。
【発明の詳細な説明】
【技術分野】
【０００１】
本発明は、パチンコ機に使用される遊技球を回収したり補給したりするための遊技球搬送樋装置の改良に関するものである。
【背景技術】
【０００２】
現在のパチンコ店においては、遊技球の回収、補給、洗浄を目的とした遊技球搬送樋装置が島単位で設置されている。このような遊技球搬送樋装置の多くは、その設置スペースの問題から遊技機の上方及び下方に、搬送樋、揚送装置、島中のタンクなどからなる循環用の通路を設けて遊技球を循環させるものであり、上方に揚送した遊技球を傾斜などの高低差を用い転動、流下させるものである。
しかし、このような遊技球搬送樋装置においては、遊技球と搬送樋の表面との接触、もしくは遊技球同士の擦れ合いによりかなり大きな騒音が発生しがちで、パチンコ店における騒音源の一つとして大きな問題となっていた。
【０００３】
このような問題点を解消するために、特許文献１には、遊技機島下部の断面凹型をなすパチンコ球還元用樋内に、弾性体材料中に布あるいは繊維を埋設含有させて形成した軟質シートを敷設して、消音効果を得るようにした技術が開示されている。また、特許文献２には、金属製樋本体の内側を遊技球の通路とする遊技島渡し樋において、樋本体の金属製底面に吸音性を有する合成樹脂材から成る板材を装着したものが開示されている。しかしながら、これらの発明においては、軟質シートや板材などの緩衝用部材の搬送樋に対する組み付け方法としてただ内側に敷くだけであったので、球の衝撃により位置ずれを起こしたり、あるいは固定するための専用の組み付け具を別途必要とするなどの問題点を有していた。
【特許文献１】特開昭６３−１１７７８２号公報  (第１図)
【特許文献２】特開平１０−３３８１４号公報    (図６)
【発明の開示】
【発明が解決しようとする課題】
【０００４】
本発明は、上記した従来の問題点に鑑み、消音用の緩衝部材を搬送樋に簡単にして確実に敷設することができる遊技球搬送樋装置を提供することを課題とする。
【課題を解決するための手段】
【０００５】
上記の課題を解決するためになされた本発明の遊技球搬送樋装置は、凹状で金属製の遊技球搬送樋の底面中央に、搬送樋の長手方向に伸びる凹溝部を形成するとともに、搬送樋の底面に敷設される消音用緩衝部材の平板の裏側に前記凹溝部に対応する突条部を設けて、凹溝部に突条部を嵌合させて緩衝部材を搬送樋内に敷設したことを特徴とするものである。
【０００６】
上記した発明において、突条部を、先端の拡幅部と付け根のくびれ部とを有する断面形状のものとし、凹溝部を、幅広の底部と狭幅の開口部とを有する断面形状のものとすることができ、
緩衝部材を、搬送樋の底面に敷設される平板と、搬送樋の両側の側壁に当接される起立壁とを有する凹状に形成するとともに、前記側壁の上部には起立壁を挿入可能な係止溝を設けることができ、この係止溝を形成する垂設片の溝側内部に、起立壁を固定するための凹凸を有する係止部を設けることができる。
また、両側の起立壁の下端に、緩衝部材の平板より下方に延出する突片を設け、搬送樋の底面の両側には、前記突片が挿入される側溝を設けることができ、
搬送樋の係止溝の上側に、所要の長さの搬送樋を接続するための連結具が取り付けられる連結溝を形成することができる。
さらに、緩衝部材を、合成樹脂を押し出し成形した軟性を有するものとすることができる。
【発明の効果】
【０００７】
請求項１に係る発明は、搬送樋の底面に設けた凹溝部に、緩衝部材の裏側に形成した突条部を嵌め込むだけで、緩衝部材を搬送樋に正しく位置決めして簡単に装着できる。
請求項２に係る発明は、突条部を凹溝部に搬送樋の長手方向からスライドさせて挿入することにより、緩衝部材が反り返ったりすることなく装着できる。
請求項３に係る発明は、搬送樋の両側の側壁に衝突する遊技球の騒音をも小さく抑えることができる。
請求項４に係る発明は、特別な固定具を用いることなく起立壁を確実に搬送樋の左右の側壁に押え付けることができる。
請求項５に係る発明は、緩衝部材の平板の両側を、搬送樋の左右に確実に位置決めすることができる。
請求項６に係る発明は、連結具により搬送樋を必要な長さに簡単に延長することができる。
請求項７に係る発明は、量産性を高めて低コストにて緩衝部材を製造することができる。
【発明を実施するための最良の形態】
【０００８】
以下に、本発明の実施形態を図により説明する。
図１において、１は凹状に形成された金属製の遊技球搬送樋、２はゴム、合成樹脂などからなる軟性を有する消音用の緩衝部材である。この搬送樋１は平板状の底板１１と、底板１１の両側に立設された側壁１２とを有する。緩衝部材２は、水平状の平板２１と、平板２１の両側に立設された起立壁２２とを有する凹状のものである。緩衝部材２の平板２１は、搬送樋１の底板１１に敷設され、起立壁２２は、搬送樋１の両側の側壁１２の内側に当接される。
緩衝部材２は、合成樹脂を押し出し成形して形成することによって、高い生産性にて低コストで製造することができる。また、搬送樋も押し出し成形によって量産することができる。
【０００９】
搬送樋１の底面（底板１１の面）中央には、搬送樋１の長手方向に伸びる凹溝部１３が形成されている。凹溝部１３は、図２に示すように、広幅の底部１３ａと、この底部１３ａより狭幅の開口部１３ｂとを有する断面形状としてある。一方、緩衝部材２の平板２１の裏側中央には、緩衝部材２の長手方向に伸びるレール状の突条部２３が突設されており、この突条部２３は、先端に拡幅部２３ａを有し付け根には拡幅部２３ａの幅より狭いくびれ部２３ｂとを有する断面形状としてある。この突条部２３は凹溝部１３に搬送樋１の長手方向から差し込まれているので、熱や遊技球の衝撃により緩衝部材２が底板１１から離間したり反り返ったりすることがない
【００１０】
図１に示す搬送樋１は、その側壁１２の上部に起立壁２２を挿入可能な係止溝１４を下向きに設けてある。そして、係止溝１４を形成する垂設片１５の溝側内部には凹凸を有する係止部１６が設けてある。したがって、垂設片１５を係止溝１４側に押し曲げた場合には、図３に示すように凹凸を食い込ませて起立壁２２を確実に固定することができる。
【００１１】
さらに、搬送樋１は、両側の起立壁２２の下端に、緩衝部材２の平板２１より下方に延出する突片２４を有する。そして、搬送樋１の底面の両側には、前記突片２４に対応して側溝１７が設けられている。突片２４は側溝１７に装入されているので、緩衝部材２の両側を搬送樋１の両側のコーナー部に正しく位置決めすることができる。
【００１２】
図４に示す搬送樋１には、係止溝１４の上側に金属片が逆Ｌ字形に形成されて、搬送樋１に対して外向きの連結溝１８が形成されている。図６に示すように、連結具３を所要の長さに製造された搬送樋１の端部の連結溝１８に差し込んでねじ止めすることによって、図７に示すように、適宜の長さに接続することができる。よって、この搬送樋１は接続が容易であるという効果を奏する。
【００１３】
なお、垂設片１５は、搬送樋１の端部において切り込み部１９が設けてあって、起立壁２２を押圧するための折り曲げを容易としてある。各搬送樋１の端部の垂設片１５を工具により押し曲げて係止部１６の凹凸を起立壁２２に食い込ませれば、図５に示すように起立壁２２を搬送樋１の側壁１２に簡単にして確実に固定することできる。切り込み部１９は搬送樋１の端部のみならず適宜の間隔をおいて幾つか設けることもできる。なお、垂設片１５の全長をプレス機などを用いて折り曲げて起立壁２２を固定することもできる。
【図面の簡単な説明】
【００１４】
【図１】本発明に係る遊技球搬送樋装置の構造を示す断面図である。
【図２】搬送樋装置の底面中央を示す拡大図である。
【図３】搬送樋装置の側面上部の拡大図である。
【図４】別の形態の遊技球搬送樋装置の構造を示す断面図である。
【図５】図４の搬送樋装置の側面の拡大図である。
【図６】連結前の搬送樋装置を示す斜視図である。
【図７】連結後の搬送樋装置を示す斜視図である。
【符号の説明】
【００１５】
１  搬送樋、２  緩衝部材、１１  底板、１２  側壁、１３  凹溝部、１４  係止溝、１７  側溝、１８  連結溝、２１  平板、２２  起立壁、２３  突条部、２４  突片
【図１】
0004756985.tif 000002
【図２】
0004756985.tif 000003
【図３】
0004756985.tif 000004
【図４】
0004756985.tif 000005
【図５】
0004756985.tif 000006
【図６】
0004756985.tif 000007
【図７】
0004756985.tif 000008